(57)【要約】      （修正有）【課題】簡素な構成で、使用時には簡単に起立する状態に組み立てることを可能にするとともに、組み立てた状態では簡単に崩れることを防止できるようにする一方、不使用時には簡単に平たく折り畳むことを可能とする表示板を提供する。【解決手段】使用時には、第１板部２の非接着領域と第２板部３の非接着領域とが外開きに引き離されることで相手側へ向けて張り出すように湾曲されていて、第１、第２台座板部４，５が第１、第２折り目１０３から谷折りされて第１、第２板部２，３の接着領域に対して直交する姿勢にされているとともに、連結板部６が第１、第２台座板部４，５と一直線上に並ぶような姿勢にされて連結板部６の突片７が第２板部３の切り込み８に差し込まれることにより、第１、第２台座板部４，５および連結板部６が台座になるとともに第１、第２板部２，３が前記台座に対して垂直に起立する状態とされる。【選択図】図１
0003209690.tif 000002
【実用新案登録請求の範囲】
【請求項１】
外側面に表示対象となる情報が付記される弾性材製の第１板部および第２板部の各一端側をそれぞれ除いた領域が接着されていて、
前記第１、第２板部の各一端側には、外側から見て谷折りとするための第１、第２折り目を介して第１、第２台座板部が連接されていて、
当該第１台座板部の先端側には、外側から見て山折りとするための第３折り目を介して連結板部が連接されていて、
前記連結板部の先端側には突片が、また、前記第２板部の前記第２折り目上には前記突片が差し込まれる切り込みがそれぞれ設けられていて、
不使用時には、前記連結板部が前記第３折り目から１８０度山折りされて前記第１台座板部の内側面と前記第２板部の内側面との間に挟まれることにより、前記第１、第２板部と連結板部と前記第１、第２台座板部とが平たく折り畳まれる状態とされる一方、
使用時には、前記第１板部において非接着とされる領域と前記第２板部において非接着とされる領域とが外開きに引き離されることで相手側へ向けて張り出すように湾曲されていて、前記第１、第２台座板部が前記第１、第２折り目から谷折りされて前記第１、第２板部の接着領域に対して直交する姿勢にされているとともに、前記連結板部が前記第１、第２台座板部と一直線上に並ぶような姿勢にされて前記連結板部の突片が前記第２板部の切り込みに差し込まれることにより、前記第１、第２台座板部および前記連結板部が台座になるとともに前記第１、第２板部が前記第１、第２台座板部および前記連結板部に対して垂直に起立する状態とされる、ことを特徴とする表示板。
【請求項２】
請求項１に記載の表示板において、
前記第１板部と前記第２板部とが、一体に連接されていて、二つ折りされることによって区画される、ことを特徴とする表示板。
【請求項３】
請求項１または２に記載の表示板において、
前記第１折り目の一端側および他端側には、外開きの凹状切り欠きが設けられている、ことを特徴とする表示板。
【考案の詳細な説明】
【技術分野】
【０００１】
本考案は、情報が表示される表示板に係り、特に、不使用時に平たく折り畳まれる状態とされる一方で使用時に垂直に起立する状態とされる表示板に関する。
【０００２】
この表示板は、例えば商品販売店の商品陳列棚などに陳列された商品の販売促進用の情報などを表示するのに使用される。
【背景技術】
【０００３】
従来のこの種の表示板として、例えば特許文献１−４が知られている。
【０００４】
特許文献１に示されている組み立てパネルは、一枚物の長方形の厚紙、プラスチックシートなどを折り曲げて製作されるものであって、不使用時に平たい状態とされる一方、使用時には前記一枚のシートを二つ折りにして、その一方下端側および他方下端側にそれぞれ延出形成されている底板部を重ね合わせ、一方の底板部に設けられている長穴内に、他方の底板部に設けられている凸状片を差し込むことにより、全体として側面視で二等辺三角形のような組み立て体とされる。
【０００５】
特許文献２に示されている情報表示体は、１枚の厚紙、段ボール紙などを折り曲げることによって垂直に立てて使用される一方で不使用時に平たく折り畳まれる構成になっている。
【０００６】
この特許文献２の情報表示体は、第１基体と第２基体とが空間を作るように重ね合わされていて、前記第１基体の下端に連接される支持部材と前記第２基体の下端に連接される支持部材とを側面視で二等辺三角形のような形に折り畳むことにより台座とするとともに、前記両支持部材に連接される移動体用部材が前記空間内に挿入されて前記第１、第２基体が垂直に起立されるようになっており、この状態において前記支持部材の係合体と突出部とに前記移動体用部材の貫通孔が係合されることにより、前記垂直に起立する状態に組み立てられるようになっている。
【０００７】
特許文献３に示されている自立式広告板は、２枚の基板を貼り合わせることによって垂直に立てて使用される一方で不使用時に平たく折り畳まれる構成になっている。
【０００８】
この特許文献３の自立式広告板は、２枚の基板を部分的に貼り合わせて折り曲げられるものであって、使用時には、前記各基板の各端部にそれぞれ設けられている脚部の基端側半分領域をそれぞれ斜め外向き姿勢に開き、さらに前記両脚部の外側半分領域をそれぞれ水平姿勢にして突き合わせて、前記両脚部の先端側半分領域に設けられている嵌め合わせ部を前記各基板の各端部に設けられている嵌め合わせ部に引っ掛けることにより、全体として垂直に立てた状態の組み立て体とされる。
【０００９】
また、特許文献４に示されている立て看板は、２枚の基板を貼り合わせることによって垂直に立てて使用される一方で不使用時に平たく折り畳まれる構成になっている。
【００１０】
この特許文献４の立て看板は、長尺な表板に短尺な裏板を重ね合わせておいて、前記表板の長手方向途中に前記裏板の上端が接合され、前記表板の下端に連結板が重ね合わされる直立姿勢と離隔する横向き姿勢とに動かせるように取り付けられるようになっている。使用時には、前記表板および前記裏板の下端側をそれぞれ外開きとするように湾曲させてから、前記連結板を横向き姿勢にして前記裏板の下端に引っ掛けることにより、全体として垂直に立てた状態の組み立て体とされる。
【先行技術文献】
【特許文献】
【００１１】
【特許文献１】実用新案登録第２５８８８３７号公報
【特許文献２】特開２０１５−２００７３６号公報
【特許文献３】特許第５７９７８２３号公報
【特許文献４】特開２０１１−２４８００７号公報
【考案の概要】
【考案が解決しようとする課題】
【００１２】
上記特許文献１では、側面視で二等辺三角形のような組み立て体にした状態において、正面部の下端側と背面部の下端側とが互いに離隔する向きに開こうとすると、正面部側の底板部に設けられている長穴から背面部側の底板部に設けられている凸状片が比較的簡単に抜け出るようになっているために、組み立てパネルの使用状態つまり起立した状態が不安定になっていることが指摘される。
【００１３】
上記特許文献２では、支持部材を折り曲げる数と切り込みを作る数とが多くなっているとともに、その折り曲げた状態を保持するための構成や作業に手間がかかることが指摘される。
【００１４】
上記特許文献３では、脚部において折り曲げる数と切り込みを作る数とが多くなっているとともに、その折り曲げ部分を連結するための構成や作業に手間がかかることが指摘される。
【００１５】
上記特許文献４では、連結板を横向き姿勢にしてその一端側を裏板の下端に引っ掛けるだけにしている関係より、表板の下側と裏板の下側とがさらに外向きに湾曲したときに、前記連結板の一端側が前記裏板の下端から簡単に外れて、組み立てた状態が崩れて倒れることが懸念される。
【００１６】
このような事情に鑑み、本考案は、情報を表示可能とする表示板において、簡素な構成で、使用時には簡単に起立する状態に組み立てることを可能とするとともに、組み立てた状態では簡単に崩れることを防止できるようにする一方、不使用時には簡単に平たく折り畳むことを可能とすることを目的としている。
【課題を解決するための手段】
【００１７】
本考案に係る表示板は、外側面に表示対象となる情報が付記される弾性材製の第１板部および第２板部の各一端側をそれぞれ除いた領域が接着されていて、前記第１、第２板部の各一端側には、外側から見て谷折りとするための第１、第２折り目を介して第１、第２台座板部が連接されていて、当該第１台座板部の先端側には、外側から見て山折りとするための第３折り目を介して連結板部が連接されていて、前記連結板部の先端側には突片が、また、前記第２板部の前記第２折り目上には前記突片が差し込まれる切り込みがそれぞれ設けられていて、不使用時には、前記連結板部が前記第３折り目から１８０度山折りされて前記第１台座板部の内側面と前記第２板部の内側面との間に挟まれることにより、前記第１、第２板部と連結板部と前記第１、第２台座板部とが平たく折り畳まれる状態とされる一方、使用時には、前記第１板部において非接着とされる領域と前記第２板部において非接着とされる領域とが外開きに引き離されることで相手側へ向けて張り出すように湾曲されていて、前記第１、第２台座板部が前記第１、第２折り目から谷折りされて前記第１、第２板部の接着領域に対して直交する姿勢にされているとともに、前記連結板部が前記第１、第２台座板部と一直線上に並ぶような姿勢にされて前記連結板部の突片が前記第２板部の切り込みに差し込まれることにより、前記第１、第２台座板部および前記連結板部が台座になるとともに前記第１、第２板部が前記第１、第２台座板部および前記連結板部に対して垂直に起立する状態とされる、ことを特徴としている。
【００１８】
この構成では、第１、第２板部に折り目や切り込みを入れるだけの簡素な構成で、使用時には垂直に起立する状態に簡単に組み立てることが可能になるとともに、組み立てた状態では簡単に崩れることを防止できるようになる一方、不使用時には簡単に平たく折り畳むことが可能になる。
【００１９】
そして、本考案に係る表示板を組み立てて垂直に起立させると、前記第１板部の非接着領域と前記第２板部の非接着領域とが互いに引き寄せ合うような弾性復元力をそれぞれ発生している関係より、前記連結板部の突片が前記第２板部の切り込みから簡単に抜け出さなくなっているとともに、前記第１板部の弾性復元力と前記第２板部の弾性復元力とがほぼ均等に向かい合うように作用しているので、重心が第１、第２板部の接着領域の厚み方向の中心で安定することになる。その結果、本考案に係る表示板を組み立てた状態では、自立した状態を安定して維持できるので、簡単に崩れて倒れるといったことが発生せずに済むようになる。
【００２０】
しかも、第１板部と第２板部との少なくともいずれか一方に付記されている表示対象の情報を見やすい状態で使用することが可能になる。
【００２１】
また、本考案に係る表示板を使用しないときには、第１台座板部の突片を第２板部の切り込みから抜き出して、第１、第２板部と連結板部との３つを重ね合わせて平たく折り畳むと、机や棚などの適宜場所に嵩張ることなく収納することが可能になる。
【００２２】
ところで、前記第１板部と前記第２板部とが、一体に連接されていて、二つ折りされることによって区画される、ことが好ましい。
【００２３】
この構成では、本考案に係る表示板が一枚物のシートを適宜に折り曲げて製作されるものになっていることを意味している。そのため、前記構成では、前記第１板部と前記第２板部とを別体にする場合に比べて製作コストの低減に貢献できる。
【００２４】
さらに、前記第１折り目の一端側および他端側には、外開きの凹状切り欠きが設けられている、ことが好ましい。
【００２５】
この構成では、本考案に係る表示板を組み立てたときに、前記台座の一構成要素となる第１台座板部の両端が角張らずに丸みを持つ形状になるから、当該表示板を起立させている状態において動かしたときに前記第１台座板部の両端が何かに引っ掛かりにくくなる。
【考案の効果】
【００２６】
本考案に係る表示板は、簡素な構成で、使用時には簡単に起立する状態に組み立てることが可能になるとともに、組み立てた状態では簡単に崩れることを防止できるようになる一方、不使用時には簡単に平たく折り畳むことが可能になる。
【図面の簡単な説明】
【００２７】
【図１】本考案に係る表示板の一実施形態で、その使用状態の全体の外観を示す斜視図である。
【図２】図１の表示板を反対側から見た斜視図である。
【図３】図１の表示板のベースとなるコートボールの展開図である。
【図４】図３の表示板の非使用状態で、第１、第２板部の非接着領域を示す部分側面図である。
【図５】図３の非使用状態から使用状態に組み立てる際の初期段階を説明するための図で、図１の（５）−（５）線断面の矢視図である。
【図６】図５の続きを示す図である。
【図７】図６の続きで、組み立て完成状態を示す図である。
【図８】本考案に係る表示板の他実施形態で、その使用状態の全体の外観を示す斜視図である。
【図９】図８の表示板のベースとなるコートボールの展開図である。
【考案を実施するための形態】
【００２８】
以下、本考案を実施するための最良の実施形態について添付図面を参照して詳細に説明する。
【００２９】
図１から図７に、本考案の一実施形態を示している。図中、１は表示板の全体を示している。
【００３０】
この表示板１は、弾性材からなる一枚物のシート（例えば厚紙、プラスチックシートなど）を適宜に折り曲げることで製作されるものであって、不使用時には図４に示すように平たく折り畳まれる状態とされる一方、使用時には図１、図２ならびに図７に示すように垂直に起立する状態とされるように構成されている。
【００３１】
具体的に、表示板１は、図３に示す展開図にしたがって打ち抜いた一枚物のコートボール１００を、複数の折り目１０１〜１０４に沿ってそれぞれ折り曲げるとともに、所定部分を接着することによって組み立てられる。
【００３２】
図３に展開して示すコートボール１００は、平面視で帯状に形成されていて、その長手方向中間の所定位置に短手方向に沿う直線状の中間折り目１０１が設けられ、この中間折り目１０１によって区画される片半分の長方形領域が第１板部２とされ、前記中間折り目１０１によって区画される残り片半分の長方形領域が第２板部３とされ、第１板部２の一端側に第１折り目１０２を介して第１台座板部４が設けられ、第２板部３の一端側に第２折り目１０３を介して第２台座板部５が設けられ、第１台座板部４に第３折り目１０４を介して連結板部６が設けられ、連結板部６の端縁に突片７が短手方向の数ヶ所に設けられ、第２板部３において第２折り目１０３の近傍にコ字状切り込み８が短手方向の数ヶ所に設けられている。突片７は、その突出側へ向けて先細り形状になっていて、その先端側両角部には、丸い面取りが施されている。
【００３３】
第１板部２と第２板部３とが、また、第１台座板部４と第２台座板部５とが、それぞれ同一サイズに設定されている。
【００３４】
連結板部６は、帯状に形成されており、その短手方向の寸法（コートボール１００全体の長手方向での寸法）は、第１板部２と第２板部３とを外開きさせるときの開き幅寸法に応じて適宜設定される。
【００３５】
そして、第１板部２の内側面と第２板部３の内側面とにおいて中間折り目１０１から第１、第２折り目１０２，１０３のそれぞれ手前の所定位置（以下、第１、第２接着端目印２ａ，３ａと言う）までの領域（図３の二点鎖線２０１，２０２参照）が、接着剤で接着されている。
【００３６】
また、コ字状切り込み８の長尺直線部分が第２折り目１０３に沿って形成されており、また、コ字状切り込み８の両側の短尺直線部分が第２板部３内に設けられていて第２折り目１０３と直交する方向に沿って形成されている。
【００３７】
さらに、中間折り目１０１および第３折り目１０４の全長方向（コートボール１００全体の短手方向）の一端側および他端側には、凹状切り欠き９，１０が設けられている。第２台座板部５の先端側両角部には、丸い面取りが施されている。
【００３８】
このような表示板１において、第１板部２と第２板部３との少なくともいずれか一方には、図示していないが、表示対象となる情報が記載または貼付などによって付記される。この情報としては、販売促進用の広告（適宜の文字列、意匠、写真など）、あるいは個人の趣味の写真、絵、文字列などが挙げられる。
【００３９】
次に、このように構成された表示板１の製作手順を説明する。
【００４０】
まず、図３の展開図にしたがって打ち抜いたコートボール１００を用意し、その連結板部６を第３折り目１０４から１８０度山折りして、当該連結板部６を第１台座板部４の内側面と第２板部３の内側面との間に挟み込むことにより、図４に示すように、それらすべてを重ね合わせる。
【００４１】
その際、第１台座板部４の内側面の二点鎖線で囲む領域３０１と連結板部６の内側面の二点鎖線で囲む領域３０２とに接着剤を塗布しておくことで、第１台座板部４の内側面と連結板部６の内側面とが重ね合わされて接着されることになる。
【００４２】
引き続き、第１板部２の内側面および第２板部３の内側面において中間折り目１０１から第１、第２接着端目印２ａ，３ａまでの領域（図３の二点鎖線で囲む領域２０１，２０２）に接着剤を塗布しておいて、コートボール１００を中間折り目１０１から二つ折りする。これにより、第１板部２の内側面と第２板部３の内側面とが重ね合わされて接着されることになる。
【００４３】
これにより、表示板１の製作が完了するが、この状態は、組み立て前の非使用状態であり、図４に示すように、第１、第２板部２，３と連結板部６との３つが重ね合わされて、表示板１の全体が平たく折り畳まれた状態になっている。
【００４４】
このようにして製作された表示板１を、使用状態に組み立てるときの手順について説明する。
【００４５】
まず、図４に示す状態から、第１、第２板部２，３の各一端側の非接着領域である第１台座板部４の先端側と第２台座板部５の先端側とを共に外開きに引き離すことにより、図５に示すように、第１板部２の非接着領域と第２板部３の非接着領域とをそれぞれ相手側へ向けて張り出すように湾曲させる。
【００４６】
この状態から、図６に示すように、第１、第２台座板部４，５を第１、第２折り目１０２，１０３から共に約９０度谷折りして、第１台座板部４に連接されている連結板部６の先端側を第２台座板部５の第２折り目１０３に近づけるように倒すことにより、第１、第２台座板部４，５を第１、第２板部２，３の接着領域に対して直交する姿勢にするとともに、連結板部６を第１、第２台座板部４，５と一直線上に並ぶような姿勢にし、引き続いて、図７および図１に示すように、連結板部６の突片７を第２板部３のコ字状切り込み８の長尺直線部分に向かわせて差し込む。このとき、突片７が突出側に先細り形状になっていることに加えて、突片７によってコ字状切り込み８の内側部分が切り起こし片８ａとなって外向きに押し出されるようになるので、突片７の差し込み動作がきわめて簡単かつスムースに行えるようになる。
【００４７】
しかも、この状態では、第１板部２の非接着領域と第２板部３の非接着領域とが弓なりに反るように湾曲されている関係より、第１板部２の非接着領域と第２板部３の非接着領域とが互いに接近するように元の位置に戻ろうとする力（弾性復元力）が継続的に発生している。そのために、前記弾性復元力によって突片７がコ字状切り込み８内に押し込まれるように常に付勢されることになる。その結果、突片７がコ字状切り込み８から簡単に抜け出さなくなる。
【００４８】
これにより、図１および図２に示すように、第１、第２台座板部４，５および連結板部６が横一直線にほぼ面一となっていて、幅広な台座になるとともに第１、第２板部２，３が第１、第２台座板部４，５および連結板部６に対して垂直に起立するようになる。つまり、このように組み立てられた表示板１は、側面視で逆さＴ字形、あるいはあたかも「東京タワー」のような形になって、自立する状態を安定して維持できるようになる。
【００４９】
しかも、このように表示板１を組み立てた状態では、第１板部２の非接着領域と第２板部３の非接着領域とが互いに引き寄せ合うような弾性復元力をそれぞれ発生している関係より、連結板部６の突片７が第２板部３のコ字状切り込み８から簡単に抜け出さなくなっているとともに、前記第１板部２の弾性復元力と前記第２板部３の弾性復元力とがほぼ均等に向かい合うように作用しているので、重心が第１、第２板部２，３の接着領域の厚み方向の中心で安定することになる。その結果、表示板１を組み立てた状態では、自立した状態を安定して維持できるので、簡単に崩れて倒れるといったことが発生せずに済む。しかも、第１板部２と第２板部３との少なくともいずれか一方に付記されている表示対象の情報を見やすい状態で使用することが可能になる。
【００５０】
さらに、前記したように組み立てた表示板１を使用しない場合には、平たく折り畳むことが可能になる。具体的に、第１台座板部４を片方の手で持つとともに、第２台座板部５を残り片方の手で持って、第１板部２の非接着領域と第２板部３の非接着領域とをさらに外開きさせることにより、当該各非接着領域をさらに湾曲させて、突片７をコ字状切り込み８から抜き出す（図６参照）。このとき、突片７が突出側に先細り形状になっているので、突片７の抜き出し時に何かに引っ掛かることがなくなるなど、抜き出し動作が簡単かつスムースに行えるようになる。
【００５１】
それから、第１台座板部４と第２台座板部５とから手を離せば、図５に示すように、前記弾性復元力によって連結板部６の内側面が第１板部２の内側面に近づくように上向きに起こされることになって、第１板部２の非接着領域と第２板部３の非接着領域とが連結板部６を介して接触または僅かな隙間を介して近接させられて、第１板部２と第２板部３と連結板部６の３つが重なり合って真っ直ぐな姿勢になる。つまり、表示板１が平たく折り畳まれることになる。
【００５２】
このように表示板１を平たく折り畳むと、嵩張らないので、邪魔にならないように片づけることが可能になる。
【００５３】
以上説明したように、本考案を適用した実施形態の表示板１によれば、一枚のシート（コートボール１００）に折り目や切り込みを入れるだけの簡素な構成で、使用時には垂直に起立する状態に簡単に組み立てることが可能になるとともに、組み立てた状態では簡単に崩れることを防止できるようになる一方、不使用時には簡単に平たく折り畳むことが可能になる。
【００５４】
これにより、表示板１を組み立てて垂直に起立させると、第１板部２と第２板部３との少なくともいずれか一方に付記される表示対象となる情報を見やすい状態で使用することができ、また、表示板１を使用しないときには第１台座板部４の突片７を第２板部３のコ字状切り込み８から抜き出すだけで平たく折り畳むと、机や棚などの適宜場所に嵩張ることなく収納することができる。
【００５５】
なお、本考案は、上記実施形態のみに限定されるものではなく、実用新案登録請求の範囲内および当該範囲と均等の範囲内で適宜に変更することが可能である。
【００５６】
（１）上記実施形態では、表示板１の第１板部２および第２板部３を縦長の長方形に形成しているが、その形状は特に限定されるものではなく、例えば図８および図９に示すように、横長の長方形あるいは正方形などとすることが可能である。
【００５７】
その場合、突片７およびコ字状切り込み８の設置数を幅方向の４ヶ所など増設することが可能である。その他、図示していないが、突片７およびコ字状切り込み８の数を増やさずにそれらの幅寸法を可及的に大きく設定することも可能である。
【００５８】
（２）上記実施形態では、第１板部２と第２板部３とを一体に連接している場合を例に挙げているが、本考案はこれのみに限定されるものではなく、例えば第１板部２と第２板部３とを別体に形成しておいて連結する形態にすることが可能である。
【産業上の利用可能性】
【００５９】
本考案は、不使用時に平たく折り畳まれる状態とされる一方で使用時に垂直に起立する状態とされる構成の表示板に好適に利用することが可能である。
【符号の説明】
【００６０】
１    表示板
２    第１板部
２ａ  第１接着端目印
３    第２板部
３ａ  第２接着端目印
４    第１台座板部
５    第２台座板部
６    連結板部
７    突片
８    コ字状切り込み
８ａ  切り起こし片
９，１０    凹状切り欠き
１００    コートボール
１０１    中間折り目
１０２    第１折り目
１０３    第２折り目
１０４    第３折り目
【図１】
0003209690.tif 000003
【図２】
0003209690.tif 000004
【図３】
0003209690.tif 000005
【図４】
0003209690.tif 000006
【図５】
0003209690.tif 000007
【図６】
0003209690.tif 000008
【図７】
0003209690.tif 000009
【図８】
0003209690.tif 000010
【図９】
0003209690.tif 000011